(57)【要約】【課題】リモコンの指し示す位置とカーソルの位置との位置ずれを補正する際の利便性を向上させた表示装置を提供する。【解決手段】表示部と、リモコンからの情報に基づいて、前記表示部にカーソルを表示する制御部と、を備え、前記制御部は、前記リモコンを任意の方向に向けたときの前記カーソルの表示位置の情報、前記リモコンを前記カーソルが表示される方向に向けたときの前記リモコンの角度の情報、装置本体の第１位置から前記リモコンまでの距離の情報、及び前記装置本体の前記第１位置とは異なる第２位置から前記リモコンまでの距離の情報を取得し、取得した各情報に基づいて前記カーソルの表示位置を制御する表示装置としている。【選択図】図２
2018190247.tif 000002
【特許請求の範囲】
【請求項１】
表示部と、
リモコンからの情報に基づいて、前記表示部にカーソルを表示する制御部と、を備え、
前記制御部は、前記リモコンを任意の方向に向けたときの前記カーソルの表示位置の情報、前記リモコンを前記カーソルが表示される方向に向けたときの前記リモコンの角度の情報、装置本体の第１位置から前記リモコンまでの距離の情報、及び前記装置本体の前記第１位置とは異なる第２位置から前記リモコンまでの距離の情報を取得し、取得した各情報に基づいて前記カーソルの表示位置を制御する、
表示装置。
【請求項２】
前記リモコンは角度を検出する角度検出部を有し、
前記制御部は、前記角度検出部から前記角度の情報を取得する、ことを特徴とする請求項１に記載の表示装置。
【請求項３】
前記制御部は、前記角度検出部の検出結果に基づき、カーソルを移動させることを特徴とする請求項２に記載の表示装置。
【請求項４】
前記制御部は、前記検出結果に基づくカーソル位置が前記表示部の表示領域外である場合、カーソルを前記表示領域の外縁近傍に表示させる、ことを特徴とする請求項３に記載の表示装置。
【請求項５】
前記制御部は、前記検出結果に基づくカーソル位置と、前記表示領域の外縁との距離に応じて、前記カーソルの表示態様を変化させる、ことを特徴とする請求項４に記載の表示装置。
【請求項６】
前記表示態様は、点滅方法、または表示色であることを特徴とする請求項５に記載の表示装置。
【請求項７】
前記第１位置及び前記第２位置に各々配置された信号出力部を備え、
前記信号出力部から前記リモコンまでの距離は、前記信号出力部から出力される信号が前記リモコンに到達するまでの時間に基づき取得される、ことを特徴とする請求項１から請求項６のいずれか１項に記載の表示装置。
【請求項８】
前記信号出力部は、スピーカであることを特徴とする請求項７に記載の表示装置。
【請求項９】
前記表示部は、複数の表示装置の各々の表示領域を含み、
前記制御部は、前記検出結果に基づくカーソル位置に応じて、前記複数の表示装置のうち前記カーソルを表示させる表示装置を判定する、ことを特徴とする請求項２から請求項６のいずれか１項に記載の表示装置。
【請求項１０】
前記表示部における位置を規定するグローバル座標と、
各々の前記表示領域における位置を規定するローカル座標と、が定義され、
前記グローバル座標の位置として算出される前記カーソル位置は、前記判定された表示装置における前記ローカル座標の位置に変換される、ことを特徴とする請求項９に記載の表示装置。
【請求項１１】
前記リモコンは、所定操作子を有し、
前記制御部は、前記所定操作子が押し下げられたときに、前記カーソルの表示位置の情報を取得する、ことを特徴とする請求項１から請求項１０のいずれか１項に記載の表示装置。
【請求項１２】
前記制御部は、前記所定操作子の押し下げを解除したときに、前記リモコンの角度、前記第１位置からリモコンまでの距離、及び前記第２位置からリモコンまでの距離の情報を取得する、ことを特徴とする請求項１１に記載の表示装置。
【請求項１３】
前記リモコンは、所定操作子を有し、
前記制御部は、前記所定操作子の操作に基づき、前記リモコンを前記任意の方向から前記カーソルが表示される方向に向ける間、前記カーソルの表示位置を固定させる、請求項１から請求項１２のいずれか１項に記載の表示装置。
【請求項１４】
前記制御部は、前記カーソルの表示位置の情報と前記リモコンの角度の情報を対応付けて記憶部に記憶させる、請求項１から請求項１３のいずれか１項に記載の表示装置。
【発明の詳細な説明】
【技術分野】
【０００１】
本発明は、表示装置に関する。
【背景技術】
【０００２】
従来、表示装置に表示されるカーソル（ポインタも含む）をリモコンにより操作可能な表示装置システムが知られている。このような表示装置システムは、例えば特許文献１に開示される。
【０００３】
特許文献１の表示装置システムは、表示装置と、表示装置に表示されるポインタを遠隔操作可能なリモコンと、を備える。この表示装置システムでは、リモコン本体部が指し示す位置とポインタの位置の位置ずれを補正する機能を有する。
【０００４】
リモコンの制御部は、上記位置ずれを補正するための初期キャリブレーションとして、画面中央、画面左端、および画面右端のそれぞれに対応するビーコン音の音声検知結果（音圧情報）の取得結果に基づき、算出式によって、画面からリモコン本体部までの距離、画面端に対してリモコン本体部が位置する方向角を算出し、メモリに記憶する。
【０００５】
また、初期キャリブレーションの後、上記制御部は、ジャイロセンサによるリモコン本体部の姿勢検知結果に基づき、リモコン本体部により画面中央、画面左端、および画面右端が指し示された場合、それぞれ、ビーコン音の音声検知結果を取得し、初期キャリブレーション時の対応する音声検知結果と比較する。比較結果として所定値以上ずれている場合は、上記新たに取得した音声検知結果と上記算出式に基づき、上記距離および上記方向角を算出し、算出された値でメモリを上書きする。
【０００６】
これにより、リモコン本体部が指し示す位置とポインタの位置との初期キャリブレーション時の位置関係に対する位置ずれを補正できるとしている。
【先行技術文献】
【特許文献】
【０００７】
【特許文献１】特開２０１４−２０４２４０号公報
【発明の概要】
【発明が解決しようとする課題】
【０００８】
しかしながら、上記特許文献１では、リモコン本体部が画面中央、および両端を指し示した場合にのみ再度のキャリブレーションが行われるので、それ以外の画面領域で使用し続ける場合に、リモコンと画面との距離が変化する等によりポインタの位置ずれが生じても補正することができない。また、仮にユーザが意図的に補正しようとした場合は、リモコンを一度、画面中央および両端と思われる方向に振る必要があるが、ずれを踏まえて、初期キャリブレーション時のリモコンの傾斜角にする必要があり、このようなことはユーザにとって困難である。また、再度のキャリブレーション時に、画面中央および両端の３点において、左右のスピーカからの音声を取得する時間が必要であり、或る程度の時間だけ各点でリモコンをとどめる必要があり、ずれているカーソルをその状態でとどめることは容易でない。
【０００９】
上記状況に鑑み、本発明は、リモコンの指し示す位置とカーソルの位置との位置ずれを補正する際の利便性を向上させた表示装置を提供することを目的とする。
【課題を解決するための手段】
【００１０】
本発明の一態様に係る表示装置は、表示部と、リモコンからの情報に基づいて、前記表示部にカーソルを表示する制御部と、を備え、前記制御部は、前記リモコンを任意の方向に向けたときの前記カーソルの表示位置の情報、前記リモコンを前記カーソルが表示される方向に向けたときの前記リモコンの角度の情報、装置本体の第１位置から前記リモコンまでの距離の情報、及び前記装置本体の前記第１位置とは異なる第２位置から前記リモコンまでの距離の情報を取得し、取得した各情報に基づいて前記カーソルの表示位置を制御する構成としている（第１の構成）。
【００１１】
このような構成によれば、表示部における任意のカーソル位置に対してキャリブレーション処理を行い、リモコンの指し示す位置とカーソル位置のずれを補正することができる。また、一つのカーソルのみに対してキャリブレーション処理を行うことができる。従って、利便性を高めることができる。
【００１２】
また、上記第１の構成において、前記リモコンは角度を検出する角度検出部を有し、前記制御部は、前記角度検出部から前記角度の情報を取得することとしてもよい（第２の構成）。
【００１３】
また、上記第２の構成において、前記制御部は、前記角度検出部の検出結果に基づき、カーソルを移動させることとしてもよい（第３の構成）。
【００１４】
また、上記第３の構成において、前記制御部は、前記検出結果に基づくカーソル位置が前記表示部の表示領域外である場合、カーソルを前記表示領域の外縁近傍に表示させることとしてもよい（第４の構成）。
【００１５】
このような構成によれば、リモコンの指し示す位置が表示領域外となった場合にカーソルは表示領域の外縁近傍で停止されるので、ユーザにとって違和感のない操作感となる。
【００１６】
また、上記第４の構成において、前記制御部は、前記検出結果に基づくカーソル位置と、前記表示領域の外縁との距離に応じて、前記カーソルの表示態様を変化させることとしてもよい（第５の構成）。
【００１７】
このような構成によれば、リモコンの指し示す位置が表示領域外において移動するに従って、カーソルの表示態様が変化するので、ユーザにとって直観的な操作感を得ることができる。
【００１８】
また、上記第５の構成において、前記表示態様は、点滅方法、または表示色であることとしてもよい（第６の構成）。直観的な操作感を得るには、カーソルの点滅方法、または表示色が変化することは効果的である。
【００１９】
また、上記第１〜第６のいずれかの構成において、前記第１位置及び前記第２位置に各々配置された信号出力部を備え、前記信号出力部から前記リモコンまでの距離は、前記信号出力部から出力される信号が前記リモコンに到達するまでの時間に基づき取得されることとしてもよい（第７の構成）。
【００２０】
このような構成によれば、簡易な方法により各位置からリモコンまでの距離を得ることができる。
【００２１】
また、上記第７の構成において、前記信号出力部は、スピーカであることとしてもよい（第８の構成）。これにより、表示部に表示されるコンテンツ映像に対応するコンテンツ音声を出力するスピーカを、距離を測定するための信号出力部として共用できる。
【００２２】
また、上記第２〜第６のいずれかの構成において、前記表示部は、複数の表示装置の各々の表示領域を含み、前記制御部は、前記検出結果に基づくカーソル位置に応じて、前記複数の表示装置のうち前記カーソルを表示させる表示装置を判定することとしてもよい（第９の構成）。
【００２３】
このような構成によれば、所謂マルチディスプレイにおいて、リモコンの指し示す位置が異なる表示領域間を移動した場合でも、リモコンの指し示す位置に対応する表示領域にカーソルを表示させることができる。
【００２４】
また、上記第９の構成において、前記表示部における位置を規定するグローバル座標と、各々の前記表示領域における位置を規定するローカル座標と、が定義され、前記グローバル座標の位置として算出される前記カーソル位置は、前記判定された表示装置における前記ローカル座標の位置に変換されることとしてもよい（第１０の構成）。
【００２５】
このような構成によれば、カーソルを表示させる表示装置として判定された表示装置において、ローカル座標におけるカーソル位置に基づいてカーソルを表示させることができる。
【００２６】
また、前記リモコンは、所定操作子を有し、前記制御部は、前記所定操作子が押し下げられたときに、前記カーソルの表示位置の情報を取得することとしてもよい（第１１の構成）。
【００２７】
また、上記第１１の構成において、前記制御部は、前記所定操作子の押し下げを解除したときに、前記リモコンの角度、前記第１位置からリモコンまでの距離、及び前記第２位置からリモコンまでの距離の情報を取得することとしてもよい（第１２の構成）。
【００２８】
このような構成によれば、所定操作子を押下げた後、押下げを解除することで、キャリブレーション処理を行うことができ、ユーザにとっての操作感を向上させることができる。
【００２９】
また、上記第１〜第１２のいずれかの構成において、前記リモコンは、所定操作子を有し、前記制御部は、前記所定操作子の操作に基づき、前記リモコンを前記任意の方向から前記カーソルが表示される方向に向ける間、前記カーソルの表示位置を固定させることとしてもよい（第１３の構成）。このような構成によれば、カーソルの表示位置が固定されるので、リモコンをカーソル表示の方向へ向けることが容易となる。
【００３０】
また、上記第１から第１３のいずれかの構成において、前記制御部は、前記カーソルの表示位置の情報と前記リモコンの角度の情報を対応付けて記憶部に記憶させることとしてもよい。
【発明の効果】
【００３１】
本発明の表示装置によると、リモコンの指し示す位置とカーソルの位置との位置ずれを補正する際の利便性を向上することができる。
【図面の簡単な説明】
【００３２】
【図１】本発明の第１実施形態に係る表示装置システムの構成を示す概略図である。
【図２】本発明の第１実施形態に係る表示装置のブロック構成図である。
【図３】本発明の第１実施形態に係るリモコンのブロック構成図である。
【図４Ａ】本発明の第１実施形態に係るカーソル表示制御に関するフローチャートである。
【図４Ｂ】本発明の第１実施形態に係るカーソル表示制御に関するフローチャートである。
【図５】本発明の第１実施形態に係るカーソル位置合わせ処理に関するフローチャートである。
【図６】本発明の第１実施形態に係るカーソル位置演算処理に関するフローチャートである。
【図７Ａ】本発明の第１実施形態に係る表示装置の正面図である。
【図７Ｂ】本発明の第１実施形態に係るカーソル位置算出を説明するための図である。
【図８】本発明の第２実施形態に係る表示装置システムの構成を示す概略図である。
【図９】本発明の第２実施形態に係るマルチディスプレイのブロック構成図である。
【図１０Ａ】本発明の第２実施形態に係るカーソル表示制御に関するフローチャートである。
【図１０Ｂ】本発明の第２実施形態に係るカーソル表示制御に関するフローチャートである。
【図１１】本発明の第３実施形態に係るカーソル位置合わせ処理に関するフローチャートである。
【図１２】本発明の第３実施形態に係るカーソル位置算出を説明するための図である。
【発明を実施するための形態】
【００３３】
以下に本発明の一実施形態について図面を参照して説明する。
【００３４】
＜１．第１実施形態＞
【００３５】
＜１．１  表示装置システムの構成＞
図１は、本発明の第１実施形態に係る表示装置システム１００の構成を示す概略図である。図１に示す表示装置システム１００は、表示装置１と、表示装置１を遠隔操作可能なリモコン２と、を備えている。表示装置システム１００では、リモコン２により、リモコン２が指し示す位置に表示装置１００の表示部１１においてカーソルＣＳを表示させるよう遠隔操作を行うことが可能である。なお、表示装置１は、具体的には、テレビ装置、ＰＣ用モニタ、デジタルサイネージなどとして構成される。
【００３６】
表示装置１は、正面側に配置された矩形状の表示部１１と、正面側に配置されたスピーカ１２Ａ、１２Ｂを有する。スピーカ１２Ａ、１２Ｂはそれぞれ、表示部１１の左右方向中央位置より左側、右側に対応する位置に配置され、表示装置１の前方に向かって音声を発生するように構成される。
【００３７】
図２は、表示装置１のブロック構成図である。図２に示すように、表示装置１は、表示部１１と、スピーカ１２Ａ、１２Ｂと、外部入力部１３１と、チューナ１３２と、映像音声受信部１４と、表示内容生成部１５と、カーソル生成部１６と、音声生成部１７と、パルス音生成部１８と、制御部１９と、メモリ２０と、通信部２１と、を有している。表示装置１の各部は、制御部１９により制御される。
【００３８】
映像音声受信部１４は、外部入力部１３１を介して、不図示のディスク装置等から映像信号および音声信号を受信するよう構成される。また、映像音声受信部１４は、チューナ１３２を介して放送の映像音声信号を受信するよう構成される。表示内容生成部１５は、映像音声受信部１４により受信された映像信号に基づき、表示内容（表示映像）を生成するよう構成される。表示内容生成部１５により生成された表示内容は、表示部１１により表示される。
【００３９】
音声生成部１７は、映像音声受信部１４により受信された音声信号に基づき、出力用の音声信号を生成するように構成される。音声生成部１７により生成された音声信号は、スピーカ１２Ａ、１２Ｂにより音声として出力される。すなわち、一対のスピーカ１２Ａ、１２Ｂは、表示部１に表示される映像に対応する音声を出力するように構成される。
【００４０】
通信部２１は、例えばＢｌｕｔｏｏｔｈ（登録商標）、赤外線通信などに対応しており、リモコン２との間で信号を通信可能に構成される。カーソル生成部１６は、通信部２１によりリモコン２から受信された信号に基づき、表示部１１に表示させるカーソルＣＳを生成するよう構成される。パルス音生成部１８は、通信部２１によりリモコン２から受信された信号に基づき、スピーカ１２Ａ、１２Ｂから出力されるパルス音声を生成するよう構成される。なお、パルス音声は、可聴領域外の音声である。
【００４１】
メモリ２０は、表示装置１の電源がオフとされても記憶情報を維持する不揮発性メモリで構成され、制御部１９により各種情報が記憶される。
【００４２】
図３は、リモコン２のブロック構成図である。図３に示すように、リモコン２は、操作部２２と、ジャイロセンサ２３と、マイク２４と、制御部２５と、通信部２６と、を有している。
【００４３】
操作部２２は、不図示の複数の操作ボタン等を有し、操作された内容に応じた操作信号を出力する。ジャイロセンサ２３は、リモコン２の本体部の姿勢角を検知するセンサである。マイク２４は、表示装置１のスピーカ１２Ａ、１２Ｂから出力されるパルス音声を取得するよう構成される。
【００４４】
制御部２５は、リモコン２の各部を制御する。通信部２６は、表示装置１の通信部２１との間で通信を行うよう構成される。操作部２２により出力される操作信号、およびジャイロセンサ２３による検知結果は、制御部２５を介して通信部２６により表示装置１へ送信される。
【００４５】
＜１．２  カーソル表示制御＞
次に、図４Ａおよび図４Ｂに示すフローチャートを参照して表示装置システム１００におけるカーソル表示制御について説明する。
【００４６】
まず、ステップＳ１（図４Ａ）で、リモコン２の操作部２２において電源オン操作が行われると、その旨の操作信号が通信部２６から表示装置１の通信部２１へ送信される。すると、制御部１９は、表示装置１の電源をオンとする制御を行う。
【００４７】
次にステップＳ２へ進み、制御部１９は、操作部２２において電源オフ操作がされたか否かを判定する。もし電源オフ操作がされた場合は（ステップＳ２のＹ）、ステップＳ２５に進み、制御部１９は、表示装置１の電源をオフとする制御を行う。ステップＳ２で、電源オフ操作がされていない場合は（ステップＳ２のＮ）、ステップＳ３に進む。
【００４８】
ステップＳ３で、制御部１９は、操作部２２においてカーソル表示命令操作がされたか否かを判定する。もしカーソル表示命令操作がされていない場合は（ステップＳ３のＮ）、ステップＳ２に戻る。一方、カーソル表示命令操作がされた場合は（ステップＳ３のＹ）、ステップＳ４に進む。
【００４９】
ステップＳ４で、制御部１９は、カウンタを初期化する。そして、ステップＳ５に進み、制御部１９は、メモリ２０に記憶されたカーソル位置の位置にカーソルＣＳを表示するようカーソル生成部１６に指示する。これにより、表示部１１における対応する位置にカーソルＣＳが表示される。なお、カーソル位置は、表示部１１の画面左右方向および画面上下方向の２次元座標の位置として規定される。
【００５０】
次に、ステップＳ６に進み、制御部１９は、操作部２２において、カーソルＣＳの表示位置をリモコン２の指し示す位置に合せるキャリブレーション処理であるカーソル位置合わせ処理を行う命令操作がされた否かを判定する。このカーソル位置合わせ命令操作は、操作部２２における所定ボタンを押下げることで行われる。
【００５１】
もし、カーソル位置合わせ命令操作がされていない場合は（ステップＳ６のＮ）、後述するステップＳ８に進む。一方、カーソル位置合わせ命令操作がされた場合は（ステップＳ６のＹ）、ステップＳ７のカーソル位置合わせ処理に移行する。
【００５２】
ステップＳ７のカーソル位置合わせ処理の流れを図５のフローチャートに示す。カーソル位置合わせ処理が開始されると、まずステップＳ７１で、制御部１９は、現在のカーソルＣＳの画面左右方向の位置を示すカーソル座標位置Ｐｏｓ＿ｉｎｉをメモリ２０に記憶する。ここで、図７Ａに、表示部１１における現在のカーソルＣＳの画面左右方向位置をカーソル位置Ｃとして表す。なお、図７Ａにおいて、位置Ｌ，Ｒは、それぞれ、スピーカ１２Ａ、１２Ｂの画面左右方向位置を示す。カーソル座標位置Ｐｏｓ＿ｉｎｉの基準点は、任意であるが、一例として図７Ａでは、表示部１の表示領域の左端を基準点Ａとしている。すなわち、カーソル座標位置Ｐｏｓ＿ｉｎｉは、基準点Ａからカーソル位置Ｃまでの距離となる。
【００５３】
ここで、ユーザは、カーソル位置合わせ命令操作の所定ボタンを押し下げたまま、リモコン２の指し示す位置が現在表示されているカーソルＣＳの位置となるよう、リモコン２の本体部を把持する。この状態を図７Ｂに示す。図７Ｂは、図７Ａを上方から視た図である。図７Ｂでは、リモコン２の指し示す位置が表示部１の画面左右方向のカーソル位置Ｃとなるようリモコン２が把持される状態を示す。カーソル位置合わせ命令操作の所定ボタンが押下げられた状態で、カーソル位置Ｃは固定される。
【００５４】
そして、ユーザが上記のようにリモコン２を把持した状態で上記所定ボタンの押下げを解除する。すると、ステップＳ７２で、リモコン２の制御部２５は、上記押下げの解除を検知して、ジャイロセンサ２３により検知されるリモコン２の左右方向の角度であるリモコン角度Ｄｅｇ＿ｉｎｉを通信部２６を介して表示装置１へ送信し、制御部１９がリモコン角度Ｄｅｇ＿ｉｎｉを取得する。制御部１９は、取得したリモコン角度Ｄｅｇ＿ｉｎｉをカーソル座標位置Ｐｏｓ＿ｉｎｉと対応付けてメモリ２０に記憶させる。リモコン角度Ｄｅｇ＿ｉｎｉは、リモコン２が所定方向を向いたときの角度を０度とし、その所定方向に対する角度値を示す。
【００５５】
次に、ステップＳ７３に進み、制御部２５は、通信部２６を介して表示装置１に左側音声出力命令を送る。制御部１９は、これを受けてスピーカ１２Ａからパルス音声を出力するようパルス音生成部１８に指示する。制御部２５は、左側音声出力命令を送ったときに経過時間のカウントを開始しており、スピーカ１２Ａから出力されたパルス音声をマイク２４により取得するまでの経過時間を計測する。次に、制御部２５は、通信部２６を介して表示装置１に右側音声出力命令を送る。制御部１９は、これを受けてスピーカ１２Ｂからパルス音声を出力するようパルス音生成部１８に指示する。制御部２５は、右側音声出力命令を送ったときに経過時間のカウントを開始しており、スピーカ１２Ｂから出力されたパルス音声をマイク２４により取得するまでの経過時間を計測する。
【００５６】
これにより、制御部２５は、左側音声、右側音声それぞれに対応した音声の到達に要する時間を取得することができる。この到達時間に基づいてスピーカ１２Ａ、１２Ｂのそれぞれからリモコン２までのそれぞれの距離を算出することができる。図７Ｂで示すと、左側のスピーカ１２Ａの位置Ｌからリモコン２の位置Ｓまでの距離であるＬＳと、右側のスピーカ１２Ｂの位置Ｒからリモコン２の位置Ｓまでの距離であるＲＳを算出することとなる。
【００５７】
ステップＳ７４で、制御部１９は、制御部２５より通信部２６を介して送られた上記各到達時間を取得し、上記各距離ＬＳ、ＲＳを算出する。ここで、三角形ＳＬＲの面積をＴとすれば、ヘロンの公式により、下記（１）式が成り立つ。
Ｔ＝√ｓ（ｓ−ＬＳ）（ｓ−ＲＳ）（ｓ−ＬＲ）  （１）
但し、ｓ＝（ＬＳ＋ＲＳ＋ＬＲ）／２
【００５８】
また、Ｔについては、下記（２）式も成り立つ。
Ｔ＝ＬＲ・ｄｉｓ／２      （２）
（１）式および（２）式より、下記（３）式が成り立つ。
ｄｉｓ＝２Ｔ／ＬＲ＝２／ＬＲ×√ｓ（ｓ−ＬＳ）（ｓ−ＲＳ）（ｓ−ＬＲ）  （３）
距離ＬＳ、ＲＳは算出されて既知であり、スピーカ１２Ａの位置Ｌとスピーカ１２Ｂの位置Ｒ間の距離ＬＲも既知であるため、上記（３）式により距離ｄｉｓを算出できる。
【００５９】
制御部１９は、このような方法により、距離ｄｉｓを算出する。つまり、ステップＳ７４で、制御部１９は、画面上からリモコン２までの距離ｄｉｓを取得する。距離ｄｉｓは、制御部１９により、リモコン角度Ｄｅｇ＿ｉｎｉとカーソル座標位置Ｐｏｓ＿ｉｎｉに対応付けてメモリ２０に記憶される。
【００６０】
ステップＳ７４で、カーソル位置合わせ処理は終了する。このように、ユーザは、リモコン２の所定ボタンを押下げ、カーソルＣＳの表示位置が固定された状態で、リモコンをカーソルＣＳの表示位置の方向に把持し、所定ボタンの押下げを解除することにより、カーソル座標位置Ｐｏｓ＿ｉｎｉ、リモコン角度Ｄｅｇ＿ｉｎｉ、および距離ｄｉｓを取得することができる。これらのパラメータは、後述するカーソル位置の演算処理に用いられ、リモコン２の指し示す位置とカーソルＣＳの表示位置を合せることができる。つまり、ステップＳ７１〜Ｓ７４の処理によりキャリブレーション処理が行われる。また、制御部１９は、上記各パラメータをメモリ２０に記憶する。
【００６１】
なお、上記とは別の実施形態として、リモコン２の第１所定ボタンを押し下げると、ステップＳ７の処理が開始され、リモコンをカーソルＣｓの表示位置の方向に把持し、上記第１所定ボタンを再度押下げると、ステップＳ７２〜Ｓ７４が処理されるようにしてもよい。すなわち、上記第１所定ボタンは、カーソル固定用のボタンとなる。また、第１所定ボタンを再度押下げる代わりに、第１所定ボタンと異なる第２所定ボタンを押し下げることとしてもよい。また、リモコンにおける操作子としては、ボタン等のハードウェアに限らず、例えばタッチパネルにより操作する画像としてのキー等としてもよい。
【００６２】
ステップＳ７でカーソル位置合わせ処理が終了すると、ステップＳ８（図４Ｂ）に進み、制御部１９は、操作部２２においてカーソル非表示命令操作がされたか否かを判定する。もしカーソル非表示命令操作がされた場合は（ステップＳ８のＹ）、ステップＳ９に進み、制御部１９は、カーソル生成部１６にカーソルＣＳを非表示とするよう指示する。これにより、表示部１１においてカーソルＣＳは表示されなくなる。その後、ステップＳ２に戻る。
【００６３】
一方、ステップＳ８でカーソル非表示命令操作がされていない場合は（ステップＳ８のＮ）、ステップＳ１０に進み、制御部１９は、操作部２２において電源オフ操作がされたか否かを判定する。もし電源オフ操作がされた場合は（ステップＳ１０のＹ）、ステップＳ２５に進み、表示装置１の電源はオフとなる。
【００６４】
一方、ステップＳ１０で電源オフ操作がされていない場合は（ステップＳ１０のＮ）、ステップＳ１１に進む。ステップＳ１１で、制御部１９は、ジャイロセンサ２３による検知結果に基づき、リモコン２の姿勢角度に変化が生じたか否かを判定する。なお、この角度変化には、リモコン２本体部の左右方向の角度と、上下方向の角度が含まれる。少なくともいずれかの角度に変化が生じた場合に、角度変化が生じたと判定する。
【００６５】
もしリモコン２の姿勢角度に変化が生じていない場合は（ステップＳ１１のＮ）、ステップＳ１２に進み、制御部１９は、カウンタを加算する。そして、ステップＳ１３に進み、制御部１９は、カウンタが閾値より低いか否かを判定する。もし閾値より低い場合は（ステップＳ１３のＹ）、ステップＳ８に戻る。
【００６６】
一方、リモコン２の姿勢角度に変化が生じず、カウンタの加算が累積されることにより、カウンタが閾値以上となった場合は（ステップＳ１３のＮ）、ステップＳ１４に進み、制御部１９は、カーソル生成部１６にカーソルＣＳを非表示とするよう指示する。これにより、表示部１１においてカーソルＣＳは表示されなくなる。その後、ステップＳ２に戻る。これにより、リモコン２が例えば机上に置かれたままである等の場合に、自動的にカーソルＣＳを非表示にすることができる。
【００６７】
一方、ステップＳ１１で、リモコンの姿勢角度に変化が生じた場合（ステップＳ１１のＹ）、ステップＳ１５に進み、制御部１９は、カウンタを初期化する。そして、ステップＳ１６に進む。ステップＳ１６で、制御部１９は、カーソルＣＳの表示位置を演算するカーソル位置演算処理を行う。ここで、カーソルＣＳの画面左右方向の座標位置と、画面上下方向の座標位置を演算するが、ここでは、図６を用いて画面左右方向の座標位置の演算について説明する。なお、画面上下方向の座標位置の演算については、ジャイロセンサ２３により検知されるリモコン２の上下方向の角度に基づき行われる。
【００６８】
図６は、カーソルＣＳの画面左右方向の座標位置を演算する処理の流れを示すフローチャートである。図６の処理が開始されると、まずステップＳ１６１で、制御部１９は、ジャイロセンサ２３の検知結果に基づき、現在のリモコン２の左右方向の角度であるリモコン角度Ｄｅｇ＿ｃｕｒを取得する。リモコン角度Ｄｅｇ＿ｃｕｒは、リモコン角度Ｄｅｇ＿ｉｎｉと同様、リモコン２が上記所定方向を向いたときの角度を０度とし、その所定方向に対する角度値を示す。
【００６９】
そして、ステップＳ１６２に進み、制御部１９は、メモリ２０に記憶されたカーソル座標位置Ｐｏｓ＿ｉｎｉ、リモコン角度Ｄｅｇ＿ｉｎｉ、および距離ｄｉｓと、上記取得されたリモコン角度Ｄｅｇ＿ｃｕｒに基づき、カーソル位置を演算する。
【００７０】
ここで、図７Ｂを参照して、カーソル位置Ｐを演算する算出式について説明する。
三平方の定理より、下記（４）式が成り立つ。
ＬＯ＝√（ＬＳ２−ｄｉｓ２）  （４）
また、ＯＣ＝ＬＣ−ＬＯ    （５）
ＬＣ＝Ｐｏｓ＿ｉｎｉ−ＡＬ  （６）
（４）式〜（６）式により、下記（７）式が成り立つ。
ＯＣ＝（Ｐｏｓ＿ｉｎｉ−ＡＬ）−√（ＬＳ２−ｄｉｓ２）  （７）
一方、ｔａｎ（∠ＣＳＯ）＝ＯＣ／ｄｉｓより、
∠ＣＳＯ＝ｔａｎ−１（ＯＣ／ｄｉｓ）  （８）
また、∠ＰＳＯ＝∠ＣＳＯ＋（Ｄｅｇ＿ｃｕｒ−Ｄｅｇ＿ｉｎｉ）  （９）
ここで、ｔａｎ（∠ＰＳＯ）＝ＯＰ／ｄｉｓ  （１０）
上記（１０）式に上記（９）式を代入すると、
ｔａｎ（∠ＣＳＯ＋（Ｄｅｇ＿ｃｕｒ−Ｄｅｇ＿ｉｎｉ））＝ＯＰ／ｄｉｓ  （１１）
上記（１１）式に上記（８）式を代入すると、
ｔａｎ（ｔａｎ−１（ＯＣ／ｄｉｓ）＋（Ｄｅｇ＿ｃｕｒ−Ｄｅｇ＿ｉｎｉ））＝ＯＰ／ｄｉｓ  （１２）
上記（１２）式を変形すると、
ＯＰ＝ｄｉｓ×ｔａｎ（ｔａｎ−１（ＯＣ／ｄｉｓ）＋（Ｄｅｇ＿ｃｕｒ−Ｄｅｇ＿ｉｎｉ））  （１３）
ここで、ＡＰ＝ＡＬ＋ＬＯ＋ＯＰ  （１４）
上記（１４）式に上記（４）式と上記（１３）式を代入すると、
ＡＰ＝ＡＬ＋√（ＬＳ２−ｄｉｓ２）＋ｄｉｓ×ｔａｎ（ｔａｎ−１（ＯＣ／ｄｉｓ）＋（Ｄｅｇ＿ｃｕｒ−Ｄｅｇ＿ｉｎｉ））  （１５）
ここで、上記（１５）式におけるＯＣは上記（７）式から算出できる。従って、カーソル位置Ｐを基準点Ａからの距離として、上記（１５）式に基づき演算することができる。
【００７１】
次に、ステップＳ１６３に進み、制御部１９は、上記算出されたカーソル位置が表示部１の画面左右の両端以内であるか、つまり表示領域以内にあるか否かを判定する。もし画面左右両端以内である場合は（ステップＳ１６３のＹ）、ステップＳ１６４に進み、カーソル位置を上記算出結果であるとして決定する。一方、カーソル位置が画面左右両端より外にある場合は（ステップＳ１６３のＮ）、ステップＳ１６５に進み、カーソル位置を上記算出結果ではなく、直前のカーソル位置（メモリ２０に記憶）として決定する。
【００７２】
ステップＳ１６４またはＳ１６５によりカーソル位置演算処理は終了する。このようにカーソル位置が演算されると、ステップＳ１７に進み、制御部１９は、演算されたカーソル位置にカーソルＣＳを表示部１に表示するようカーソル生成部１６に指示する。これにより、演算されたカーソル位置にカーソルＣＳが表示される。
【００７３】
そして、ステップＳ１８で、制御部１９は、演算されたカーソル位置をメモリ２０に記憶する。この記憶は、上書きにより行う。
【００７４】
次に、ステップＳ１９で、制御部１９は、操作部２２においてカーソル非表示命令操作がされたか否かを判定する。もしカーソル非表示命令操作がされた場合は（ステップＳ１９のＹ）、ステップＳ２０に進み、制御部１９は、カーソル生成部１６にカーソルＣＳを非表示とするよう指示する。これにより、表示部１１においてカーソルＣＳは表示されなくなる。その後、ステップＳ２に戻る。
【００７５】
一方、カーソル非表示命令操作がされていない場合は（ステップＳ１９のＮ）、ステップＳ２１に進み、制御部１９は、操作部２２において電源オフ操作がされたか否かを判定する。もし電源オフ操作がされた場合は（ステップＳ２１のＹ）、ステップＳ２５に進み、表示装置１の電源はオフとなる。ステップＳ１８で記憶されたカーソル位置は、ステップＳ２０でカーソル非表示となり、その後、カーソル表示命令操作がされた場合に（ステップＳ３のＹ）、カーソルＣＳの表示位置として用いられる（ステップＳ５）。または、ステップＳ１８で記憶されたカーソル位置は、ステップＳ２１で電源オフとなった場合に、その後、電源オンとされた場合に、カーソルＣＳの表示位置として用いられる（ステップＳ５）。
【００７６】
一方、ステップＳ２１で電源オフ操作がされていない場合は（ステップＳ２１のＮ）、ステップＳ６に戻り、操作部２２においてカーソル位置合わせ命令操作がされたか否かを判定する。
【００７７】
このように本実施形態では、リモコン２と画面との距離が変化する等によりカーソルＣＳの表示位置がリモコン２の指し示す位置とずれた場合でも、カーソル位置合わせ命令操作を行うことで、カーソル位置合わせ処理（キャリブレーション処理）が行われ、以降、その処理結果に基づいてカーソル位置が演算されて表示されるので、上記位置ずれを補正することができる。このとき、カーソル位置合わせ処理では、現在のカーソル位置のみに対して行うことができるので、従来のような３点（画面中央および両端）の位置にリモコンを合せる必要が無い。また、表示画面における任意のカーソル位置に対してカーソル位置合わせ処理を行うことができる。従って、ユーザにとっての利便性を高めることができる。
【００７８】
図６に示す処理（ステップＳ１６のカーソル位置演算処理）が行われ、算出されたカーソル位置が画面両端より外に位置する場合は、ステップＳ１６５により、カーソル位置は直前のカーソル位置として決定される。従って、リモコン２を一方向に回転させ、算出されるカーソル位置が表示領域外となった場合、カーソル位置自体は仮想的に決定されるが、実際に表示されるカーソルＣＳは画面端に固定される。そして、リモコン２を逆方向に回転させ、算出されるカーソル位置が表示領域内となれば、算出された位置にカーソルは表示される（ステップＳ１６４）。このとき、リモコン２の指し示す位置とカーソルＣＳの表示位置にずれは生じない。従って、ユーザにとって違和感のないカーソルの操作性を実現できる。
【００７９】
なお、図６に示す処理において、算出されたカーソル位置が画面端の外にある場合（ステップＳ１６３のＮ）、算出されたカーソル位置の画面端からの距離を制御部１９が取得してもよい。この場合、ステップＳ１７のカーソルの表示（すなわち画面端での表示）において、制御部１９は、上記取得した距離に応じた点滅方法、または色表示によりカーソルＣＳを表示するようカーソル生成部１６に指示する。点滅方法であれば、例えば上記取得した距離が長くなるほど、点滅速度を上昇させる等である。
【００８０】
これにより、リモコン２の指し示す位置が表示領域の、より外部となるほど、画面端に固定されたカーソルＣＳの表示態様が変化するので、ユーザにとって直観的な操作感を実現できる。
【００８１】
また、カーソル位置合わせ処理において、各スピーカ１２Ａ、１２Ｂとリモコン２との距離（図７での距離ＬＳ、ＲＳ）を取得するのに、各スピーカから出力するパルス音声を利用したが、これに限ることない。例えば、表示部１１の左右方向中央位置より左側、右側にそれぞれ異なる色の光を出射する発光部を設け、リモコン２に受光部を設け、各色の光がリモコン２に到達する時間を計測することで上記各距離を取得するようにしてもよい。
【００８２】
＜２．第２実施形態＞
【００８３】
＜２．１  マルチディスプレイの構成＞
次に、本発明の第２実施形態について説明する。図８は、本発明の第２実施形態に係る表示装置システム２００の構成を示す概略図である。図８に示す表示装置システム２００は、第１表示装置１Ａ、第２表示装置１Ｂ、および第３表示装置１Ｃを有するマルチディスプレイ１５０と、リモコン２とから構成される。マルチディスプレイ１５０は、例えばデジタルサイネージ等として構成されるものである。マルチディスプレイ１５０は、スピーカ１２Ａ、１２Ｂも備える。
【００８４】
第１表示装置１Ａの表示部１１Ａ、第２表示装置１Ｂの表示部１１Ｂ、および第３表示装置１Ｃの表示部１１Ｃは、横方向（左右方向）に配列される。すなわち、マルチディスプリ１５０は、横方向に３つ並べられた画面により表示を行う。また、マルチディスプレイ１５０の全表示画面（表示部１１Ａ〜１１Ｃから構成される画面）の左右方向中央位置より左側および右側にそれぞれスピーカ１２Ａ、１２Ｂが配置される。表示装置システム２００においては、全表示画面に表示されるカーソルＣＳの位置をリモコン２により遠隔操作することが可能である。なお、リモコン２の構成は、先述した第１実施形態（図３）と同様である。
【００８５】
図９は、マルチディスプレイ１５０のブロック構成図である。図９に示すように、マルチディスプレイ１５０は、第１表示装置１Ａ、第２表示装置１Ｂ、第３表示装置１Ｃ、およびスピーカ１２Ａ、１２Ｂを有している。
【００８６】
第１表示装置１Ａは、表示部１１Ａ、外部入力部１３１、チューナ１３２、映像音声受信部１４、表示内容生成部１５Ａ、カーソル生成部１６Ａ、音声生成部１７、パルス音生成部１８、制御部１９Ａ、メモリ２０、および通信部２１を有している。スピーカ１２Ａ、１２Ｂは、表示装置１Ａの外部において、音声生成部１７およびパルス音生成部１８に接続される。
【００８７】
第２表示装置１Ｂは、表示部１１Ｂ、表示内容生成部１５Ｂ、カーソル生成部１６Ｂ、および制御部１９Ｂを有している。第３表示装置１Ｃは、表示部１１Ｃ、表示内容生成部１５Ｃ、カーソル生成部１６Ｃ、および制御部１９Ｃを有している。
【００８８】
第１表示装置１Ａは、先述した第１実施形態の表示装置１（図２）と同様の構成としている。制御部１９Ａは、制御部１９Ｂ、１９Ｃと通信を行うことができる。通信部２１は、リモコン２の通信部２６との間で信号の通信を行う。表示内容生成部１５Ａは、映像音声受信部１４により受信された映像のうち全表示画面の中央に位置する表示部１１Ａに表示させる映像を生成するよう構成される。表示内容生成部１５Ｂは、映像音声受信部１４により受信された映像のうち全表示画面の左端に位置する表示部１１Ｂに表示させる映像を生成するよう構成される。表示内容生成部１５Ｃは、映像音声受信部１４により受信された映像のうち全表示画面の右端に位置する表示部１１Ｃに表示させる映像を生成するよう構成される。これにより、表示部１１Ａ〜１１Ｃにより構成される全表示画面に一つのコンテンツとしての映像が表示される。
【００８９】
このとき、音声生成部１７は、映像音声受信部１４により受信された音声信号に基づき、出力用の音声信号を生成するように構成される。音声生成部１７により生成された音声信号は、スピーカ１２Ａ、１２Ｂにより音声として出力される。すなわち、一対のスピーカ１２Ａ、１２Ｂは、全表示画面に表示される映像に対応する音声を出力するように構成される。
【００９０】
また、カーソル生成部１６Ａ〜１６Ｃは、それぞれ表示部１１Ａ〜１１Ｃに表示させるカーソルＣＳを生成するよう構成される。カーソル生成部１６Ａ〜１６Ｃは、いずれか一つがカーソルＣＳを生成するとき、残りのものはカーソルＣＳを生成しないよう制御される。
【００９１】
＜２．２  カーソル表示制御＞
次に、このような本実施形態に係る表示装置システム２００におけるカーソル表示制御について図１０Ａおよび図１０Ｂに示すフローチャートを参照して説明する。なお、本フローチャートの処理では、先述した第１実施形態に係る処理（図４Ａ、図４Ｂ）と基本的に類似しているので、適宜説明は簡略化しつつ本実施形態に特有な処理について特に説明する。
【００９２】
ステップＳ３０（図１０Ａ）で、リモコン２の操作部２２において電源オン操作がされると、通信部２１の操作信号の受信により、制御部１９Ａは、マルチディスプレイ１５０の電源をオンとする制御を行う。
【００９３】
その後、電源オフ操作がされず（ステップＳ３１のＮ）、カーソル表示命令操作がされた場合は(ステップＳ３２のＹ)、ステップＳ３３に進み、カウンタが初期化され、ステップＳ３４に進む。
【００９４】
ステップＳ３４で、制御部１９Ａは、メモリ２０に記憶されたカーソル位置を読み出す。ここで、図８に示すように、マルチディスプレイ１５０の全表示画面における上下方向座標Ｘ、および左右方向座標Ｙとするグローバル座標におけるカーソルＣＳの位置が定義される。メモリ２０に記憶されるカーソル位置は、上記グローバル座標での座標位置である。
【００９５】
ステップＳ３４で、制御部１９Ａは、メモリ２０から読み出したカーソル位置が表示部１１Ａ〜１１Ｃのいずれの表示領域に属するかに基づき、表示装置１Ａ〜１Ｃのうちカーソルを表示させる表示装置である表示モニタを特定する。
【００９６】
次に、ステップＳ３５で、制御部１９Ａは、表示モニタが表示装置１Ａである場合は、それ以外の表示装置１Ｂ、１Ｃを非表示モニタであるとして、自己をカーソル表示イネーブルとし、他の各制御部１９Ｂ、１９Ｃにそれぞれカーソル表示ディスエーブルを通知する。また、制御部１９Ａは、表示モニタが表示装置１Ｂまたは１Ｃである場合は、表示モニタに対応する制御部１９Ｂまたは１９Ｃにカーソル表示イネーブルを通知し、自己をカーソル表示ディスエーブルとし、非表示モニタに対応する制御部１９Ｂまたは１９Ｃにカーソル表示ディスエーブルを通知する。
【００９７】
そして、ステップＳ３６で、カーソル表示イネーブルとされた制御部１９Ａ〜１９Ｃのいずれかは、メモリ２０から読み出されたカーソル位置をグローバル座標からローカル座標へ変換する。ここで、ローカル座標とは、表示部１１Ａ〜１１Ｃの個々の表示領域内で定義される座標である。カーソル表示ディスエーブルとされた制御部１９Ａ〜１９Ｃのいずれかは、対応するカーソル生成部１６Ａ〜１６Ｃに対してカーソルを生成しないよう指示する。
【００９８】
次に、ステップＳ３７で、カーソル表示イネーブルとされた制御部１９Ａ〜１９Ｃのいずれかは、ローカル座標へ変換されたカーソル位置を対応するカーソル生成部１６Ａ〜１６Ｃに対して通知し、カーソルを生成するよう指示する。これにより、表示モニタであるいずれかの表示装置にカーソルが表示される。
【００９９】
次に、ステップＳ３８に進み、制御部１９Ａは、カーソル位置合わせ命令操作がされたか否かを判定し、もしされている場合に（ステップＳ３８のＹ）、ステップＳ３９のカーソル位置合わせ処理の実行に移行する。
【０１００】
ここでのカーソル位置合わせ処理は、先述した第１実施形態に係る処理（図５）と同様である。特に、ステップＳ７１では、グローバル座標での現在のカーソル位置をカーソル座標位置Ｐｏｓ＿ｉｎｉとして記憶する。また、ステップＳ７３では、パルス音生成部１８により、全表示画面の左右方向中央位置より左側、右側にそれぞれ配置されるスピーカ１２Ａ、１２Ｂからパルス音声が出力される。カーソル位置合わせ処理にて取得された各パラメータは、メモリ２０に記憶される。
【０１０１】
その後、カーソル非表示命令操作がなく（ステップＳ４０のＮ）、電源オフ操作がなく（ステップＳ４２のＮ）、リモコンの姿勢角に変化が生じた場合（ステップＳ４３のＹ）、ステップＳ４７に進み、カウンタが初期化され、ステップＳ４８のカーソル位置演算処理の実行に移行する。
【０１０２】
ここでのカーソル位置演算処理は、先述した第１実施形態に係る処理（図６）と同様である。但し、ステップＳ１６２においては、グローバル座標におけるカーソル位置を算出する。また、ステップＳ１６３では、算出されたカーソル位置が全表示画面左右の両端以内であるか、つまり表示領域以内にあるか否かを判定する。
【０１０３】
そして、ステップＳ４９〜Ｓ５１にかけては、先述したステップＳ３４〜Ｓ３６と同様の処理が行われ、ステップＳ５２において、表示装置１Ａ〜１Ｃのうち表示モニタとされた表示装置にカーソルが表示される。そして、ステップＳ５３において、演算されたカーソル位置（グローバル座標）がメモリ２０に記憶される。
【０１０４】
このような本実施形態によれば、複数の表示部から構成される全表示画面における任意の表示位置のカーソルＣＳに対してカーソル位置合わせ処理（キャリブレーション処理）を行うことができる。そして、リモコン２を一方向に回転させると、リモコン２の指し示す位置に表示されるカーソルＣＳが隣り合う表示装置間を移動しつつ表示され、全表示画面の端まで来ると位置が固定される。
【０１０５】
なお、第１実施形態で述べた種々の変形例は、本第２実施形態においても同様に適用可能である。
【０１０６】
＜３．第３実施形態＞
次に、本発明の第３実施形態について説明する。本実施形態では、先述した第１実施形態におけるカーソル表示制御における変形例となる。具体的には、図４Ａで示す処理におけるステップＳ７のカーソル位置合わせ処理については、図１１に示すフローチャートの処理を行う。
【０１０７】
なお、ここでは、先述したようにリモコン２の操作部２２において所定ボタンが押下げられてカーソル位置合わせ命令操作がされたとする（ステップＳ６のＹ）。図１１の処理が開始されると、まずステップＳ７１１で、制御部１９は、現在のカーソル表示位置であるカーソル座標位置Ｐｏｓ＿ｉｎｉをメモリ２０に記憶する。
【０１０８】
ここで、ユーザは、図１２に示すように、リモコン２の所定ボタンを押し下げたまま、リモコン２の指し示す方向が現在のカーソル表示位置Ｃから画面に対して延ばした垂線上に位置するようリモコン２を把持し、所定ボタンの押下げを解除する。なお、上記でリモコン２の指し示す方向とは、リモコン２の前端に対して垂直に前方へ延びる方向である。
【０１０９】
すると、ステップＳ７１２で、リモコン２の制御部２５は、ジャイロセンサ２３により検知されたリモコン２の角度であるリモコン角度Ｄｅｇ＿ｉｎｉを通信部２６を介して表示装置１に送信し、制御部１９はリモコン角度Ｄｅｇ＿ｉｎｉを取得する。
【０１１０】
そして、ステップＳ７１３で、制御部１９は、表示部１１に所定の入力用ウィンドウを表示するよう表示内容生成部１５に指示する。これにより、表示部１１に入力用ウィンドウが表示される。ここで、操作部２２において操作することにより、入力用ウィンドウにおいて、リモコン２から画面までの距離ｄｉｓが入力される。これにより、ステップＳ７１４において、制御部１９は、距離ｄｉｓを取得する。なお、図１２において、距離ｄｉｓは、カーソル位置Ｃからリモコン２の位置Ｓまでの距離となる。なお、距離ｄｉｓの入力は、直接数値を入力したり、選択肢から選択する等により行うことができる。
【０１１１】
ステップＳ７１４でカーソル位置合わせ処理は終了する。本実施形態では、その後、ステップＳ１６（図４Ｂ）のカーソル位置演算処理が実行されると、図６に示した処理が実行される。特に、ステップＳ１６２においては、次のようにしてカーソル位置が算出される。
【０１１２】
図１２において、位置Ｐは、角度を変化させた後のリモコン２の指し示す位置である。図１２において、ｔａｎ（∠ＰＳＣ）＝距離ＣＰ／距離ｄｉｓとなり、∠ＰＳＣ＝Ｄｅｇ＿ｃｕｒ−Ｄｅｇ＿ｉｎｉである。従って、距離ＣＰを算出することができ、カーソル位置Ｃはカーソル座標位置Ｐｏｓ＿ｉｎｉであるので、位置Ｐを特定することができる。すなわち、位置Ｐとしてカーソル位置を算出できる。
【０１１３】
このような本実施形態によっても、第１実施形態と同様な効果を享受することができる。
【０１１４】
以上、本発明の実施形態について説明したが、本発明の趣旨の範囲内であれば、実施形態は種々の変形が可能である。
【符号の説明】
【０１１５】
１  表示装置
２  リモコン
１１  表示部
１２Ａ、１２Ｂ  スピーカ
１３１  外部入力部
１３２  チューナ
１４  映像音声受信部
１５  表示内容生成部
１６  カーソル生成部
１７  音声生成部
１８  パルス音生成部
１９  制御部
２０  メモリ
２１  通信部
２２  操作部
２３  ジャイロセンサ
２４  マイク
２５  制御部
２６  通信部
１００  表示装置システム
１Ａ  第１表示装置
１１Ａ、１１Ｂ、１１Ｃ  表示部
１５Ａ、１５Ｂ、１５Ｃ  表示内容生成部
１６Ａ、１６Ｂ、１６Ｃ  カーソル生成部
１Ｂ  第２表示装置
１Ｃ  第３表示装置
１５０  マルチディスプレイ
２００  表示装置システム
ＣＳ  カーソル
【図１】
2018190247.tif 000003
【図２】
2018190247.tif 000004
【図３】
2018190247.tif 000005
【図４Ａ】
2018190247.tif 000006
【図４Ｂ】
2018190247.tif 000007
【図５】
2018190247.tif 000008
【図６】
2018190247.tif 000009
【図７Ａ】
2018190247.tif 000010
【図７Ｂ】
2018190247.tif 000011
【図８】
2018190247.tif 000012
【図９】
2018190247.tif 000013
【図１０Ａ】
2018190247.tif 000014
【図１０Ｂ】
2018190247.tif 000015
【図１１】
2018190247.tif 000016
【図１２】
2018190247.tif 000017